(57)【要約】【課題】ＭＰＥＧ４のデコード機能を搭載していなくても、ＭＰＥＧ４で記録された光ディスクの動画像を再生できる光ディスク記録再生装置を提供する。【解決手段】光ディスク１には、ＭＰＥＧ４の各規格に対応した各コーデックとＭＰＥＧ４ファイルとが記録されており、ＭＰＥＧ４ファイルを再生する際、ＭＰＥＧ４ファイルのヘッダがヘッダ解析手段６１により解析され、解析されたヘッダに基づいて該当するコーデックが光ディスク１に存在するか否かがコーデック検索手段６２により検索される。該当するコーデックが光ディスク１に存在する場合、該当コーデックはコーデック格納手段６３によりフラッシュメモリ５に格納される。そのＭＰＥＧ４ファイルを再生する際はフラッシュメモリ５に格納されたコーデックを用いてＭＰＥＧ４ファイルによる動画像が再生される。【選択図】      図１
2004328322.tif 000002
【特許請求の範囲】
【請求項１】
光ディスクに情報を記録したり、光ディスクに記録した情報を再生したりする光ディスク記録再生装置において、動画像圧縮方式としてのＭＰＥＧ４の各規格に対応した各コーデックを当該光ディスクに予め記録しておき、当該光ディスクに記録したＭＰＥＧ４フォーマットのＭＰＥＧ４ファイルを再生する際、そのＭＰＥＧ４ファイルのヘッダを解析するヘッダ解析手段と、前記解析されたヘッダに基づいて該当するコーデックが当該光ディスクに存在するか否かを検索するコーデック検索手段と、該当するコーデックが当該光ディスクに存在する場合に該当するコーデックをフラッシュメモリに格納するコーデック格納手段とを有し、前記フラッシュメモリに格納されたコーデックを用いて当該ＭＰＥＧ４ファイルをデコードして動画像を再生するための制御を行うシステムコントローラを備えたことを特徴とする光ディスク記録再生装置。
【請求項２】
光ディスクに情報を記録したり、光ディスクに記録した情報を再生したりする光ディスク記録再生装置において、動画像圧縮方式の各規格に対応した各コーデックを当該光ディスクに記録しておき、当該光ディスクに記録した動画像圧縮フォーマットの動画像圧縮情報を再生する際、前記各コーデックのうちの必要なコーデックのみを、当該光ディスクから読み出し、この読み出したコーデックを用いて当該動画像圧縮フォーマットの動画像圧縮情報をデコードして動画像を再生するための制御を行うシステムコントローラを備えたことを特徴とする光ディスク記録再生装置。
【請求項３】
前記システムコントローラは、当該光ディスクに記録した動画像圧縮フォーマットの動画像圧縮情報を再生する際、その動画像圧縮情報のヘッダを解析するヘッダ解析手段と、前記解析されたヘッダに基づいて該当するコーデックが当該光ディスクに存在するか否かを検索するコーデック検索手段と、該当するコーデックが当該光ディスクに存在する場合に該当するコーデックをフラッシュメモリに格納するコーデック格納手段とを有することを特徴とする請求項２に記載の光ディスク記録再生装置。
【請求項４】
前記動画像圧縮情報がＭＰＥＧ４フォーマットのＭＰＥＧ４ファイルであることを特徴とする請求項２または請求項３に記載の光ディスク記録再生装置。
【発明の詳細な説明】
【０００１】
【発明の属する技術分野】
本発明は、光ディスクに情報を記録したり、光ディスクに記録した情報を再生したりする光ディスク記録再生装置に関し、特に、ＭＰＥＧ４などで記録された動画像圧縮情報を再生する際に用いられるコーデックを確保できる機能を有する光ディスク記録再生装置に関する。
【０００２】
【従来の技術】
デジタル圧縮技術の普及により、映像信号や音声信号などの情報を圧縮して記録媒体である光ディスクに記録し、また、光ディスクに記録された圧縮情報を再生する光ディスク記録再生装置が従来から知られている。近年、光ディスク記録再生装置では、ＭＰＥＧ４などの動画像圧縮技術を用いてＤＶＤ−ＲＷやＤＶＤ−ＲＡＭなどのような書換え可能な光ディスクに動画像圧縮データをファイルとして記録している。
【０００３】
【特許文献１】
特開平１１−９８４４３号公報
【特許文献２】
特開２００３−３２６１７号公報
【特許文献３】
特開２００２−１８５９２４号公報
【０００４】
【発明が解決しようとする課題】
ところで、このような光ディスクに記録されたＭＰＥＧ４フォーマットの動画像情報を光ディスク記録再生装置により再生するためには、ＭＰＥＧ４をデコードするソフトウェア（コーデック）が必要である。しかし、ＭＰＥＧ４は規格が何種類かあって乱立されており、互換性が取られておらず、全てのＭＰＥＧ４フォーマットの動画像情報を再生させるためには、ＭＰＥＧ４の各規格に対応した各コーデックを用意して、光ディスク記録再生装置のフラッシュメモリに格納しておく必要がある。
【０００５】
しかし、それらのコーデックを全てフラッシュメモリに格納すると、このメモリ領域の殆どがコーデックによって使用され、その他のものに使用できるメモリ領域が少なくなり、そのためフラッシュメモリを増設しなければならなくなる場合がある。また、それらのコーデックの全部が現状のフラッシュメモリに収まらない場合も、フラッシュメモリを増設する必要がある。このようなフラッシュメモリの増設の必要性が生じた場合、コストアップを招くという課題が生じる。
【０００６】
なお、特許文献１の従来技術では、既に記録媒体に記録されているテレビ電話の通話時に発生した映像および音声の符号化データ量を一定の条件のもとで削除することにより、記録媒体に記録可能な情報量の一層の増加を図れるようにしたものであり、予め決めたＭＰＥＧ４などの規格に対応したコーデックしか備えていないので、それ以外のＭＰＥＧ４などの規格では動画像を再生することができない。
【０００７】
また、特許文献２の従来技術では、記録媒体に記録したデータを他の記録媒体に短時間で転送することができるようにしたものであり、ＭＰＥＧ４などの各規格に対応してデコードを行うものではないので、ＭＰＥＧ４などの各規格による動画像を全て再生することができない。
【０００８】
また、特許文献３の従来技術では、動画像圧縮データを実時間より短い時間で複製を行う場合において、複製中に動画像圧縮データの内容を確認可能として、ユーザの操作性を向上させるものであり、ＭＰＥＧ４の各規格に対応してコーデックを行うものではないので、ＭＰＥＧ４の各規格によるＭＰＥＧ４フォーマットの動画像を全て再生することができない。
【０００９】
本発明は、上記のような課題を解決するためになされたもので、ＭＰＥＧ４などのデコード機能を搭載していなくても、ＭＰＥＧ４などで記録された光ディスクの動画像を再生できる光ディスク記録再生装置を提供することを目的とする。
【００１０】
【課題を解決するための手段】
上記目的を達成するために、請求項１の発明は、光ディスクに情報を記録したり、光ディスクに記録した情報を再生したりする光ディスク記録再生装置において、動画像圧縮方式としてのＭＰＥＧ４の各規格に対応した各コーデックを当該光ディスクに予め記録しておき、当該光ディスクに記録したＭＰＥＧ４フォーマットのＭＰＥＧ４ファイルを再生する際、そのＭＰＥＧ４ファイルのヘッダを解析するヘッダ解析手段と、前記解析されたヘッダに基づいて該当するコーデックが当該光ディスクに存在するか否かを検索するコーデック検索手段と、該当するコーデックが当該光ディスクに存在する場合に該当するコーデックをフラッシュメモリに格納するコーデック格納手段とを有し、前記フラッシュメモリに格納されたコーデックを用いて当該ＭＰＥＧ４ファイルをデコードして動画像を再生するための制御を行うシステムコントローラを備えたことを特徴とする光ディスク記録再生装置を提供する。
【００１１】
この構成においては、当該光ディスクには、ＭＰＥＧ４の各規格に対応した各コーデックが予め記録されている。各コーデックが記録されている当該光ディスクにＭＰＥＧ４方式で動画像圧縮したＭＰＥＧ４ファイルを記録し、そのＭＰＥＧ４ファイルを再生する際、そのＭＰＥＧ４ファイルのヘッダがヘッダ解析手段により解析される。そして、解析されたヘッダに基づいて該当するコーデックが当該光ディスクに存在するか否かがコーデック検索手段により検索される。該当するコーデックが当該光ディスクに存在する場合、該当コーデックはコーデック格納手段によりフラッシュメモリに格納される。そのＭＰＥＧ４ファイルが記録された当該光ディスクを再生する際は、フラッシュメモリに格納されたコーデックを用いてＭＰＥＧ４ファイルによる動画像が再生される。
【００１２】
この構成の光ディスク記録再生装置によれば、当該光ディスクに予め記録された各コーデックのうちの必要なコーデックだけを読み出してフラッシュメモリに格納し、この格納されたコーデックを用いて当該光ディスクのＭＰＥＧ４ファイルを再生するので、ＭＰＥＧ４のデコード機能を搭載していなくても、ＭＰＥＧ４方式で光ディスクに記録された動画像を再生することができる。また、フラッシュメモリにＭＰＥＧ４の各規格に対応した各コーデックを格納しておく必要がないので、フラッシュメモリのメモリ領域の不足によるフラッシュメモリの増設を行うようなことがなくなり、フラッシュメモリの増設によるコストアップを招くようなことはない。
【００１３】
請求項２の発明は、光ディスクに情報を記録したり、光ディスクに記録した情報を再生したりする光ディスク記録再生装置において、動画像圧縮方式の各規格に対応した各コーデックを光ディスクに記録しておき、当該光ディスクに記録した動画像圧縮フォーマットの動画像圧縮情報を再生する際、前記各コーデックのうちの必要なコーデックのみを、当該光ディスクから読み出し、この読み出したコーデックを用いて動画像圧縮フォーマットの動画像圧縮情報をデコードして動画像を再生するための制御を行うシステムコントローラを備えたことを特徴とする光ディスク記録再生装置を提供する。
【００１４】
この構成においては、当該光ディスクには、動画像圧縮方式の各規格に対応した各コーデックが予め記録されている。各コーデックが記録されている当該光ディスクに動画像圧縮情報を記録し、この動画像圧縮情報を再生する際、前記各コーデックのうちの必要なコーデックのみが当該光ディスクから読み出され、この読み出されたコーデックを用いて、当該光ディスクの動画像圧縮情報が再生される。
【００１５】
この構成の光ディスク記録再生装置によれば、当該光ディスクに予め記録された各コーデックのうちの必要なコーデックだけを読み出し、このコーデックを用いて当該光ディスクの動画像圧縮情報を再生するので、動画像圧縮情報のデコード機能を搭載していなくても、動画像圧縮方式で記録された光ディスクの動画像を再生することができる。また、フラッシュメモリに動画像圧縮方式の各規格に対応した各コーデックを格納しておく必要がないので、フラッシュメモリのメモリ領域の不足によるフラッシュメモリの増設を行うようなことがなくなり、フラッシュメモリの増設によるコストアップを招くようなことはない。
【００１６】
請求項３の発明では、前記システムコントローラは、当該光ディスクに記録した動画像圧縮フォーマットの動画像圧縮情報を再生する際、その動画像圧縮情報のヘッダを解析するヘッダ解析手段と、前記解析されたヘッダに基づいて該当するコーデックが当該光ディスクに存在するか否かを検索するコーデック検索手段と、該当するコーデックが当該光ディスクに存在する場合に該当するコーデックをフラッシュメモリに格納するコーデック格納手段とを有するので、光ディスクに予め記録された複数のコーデックのうちの必要なコーデックだけを読み出してフラッシュメモリに格納でき、この格納されたコーデックを用いて当該光ディスクの動画像圧縮情報を再生することが可能になる。
【００１７】
請求項４の発明では、前記動画像圧縮情報がＭＰＥＧ４フォーマットのＭＰＥＧ４ファイルであるので、ＭＰＥＧ４方式で光ディスクに記録されたＭＰＥＧ４ファイルを再生することが可能になる。
【００１８】
【発明の実施の形態】
以下、添付図面を参照しつつ、本発明の実施の形態について説明する。図１は本発明の一実施形態に光ディスク記録再生装置の構成を示すブロック図である。この光ディスク記録再生装置は、光ディスク１に対して情報を記録する記録処理部２と、光ディスク１に記録された情報を再生する再生処理部３と、動画像圧縮データを格納するバッファメモリ４と、ＭＰＥＧ４ファイルの圧縮・伸長を行うコーデック５１を格納するフラッシュメモリ５と、これらの構成要素を制御するシステムコントローラ６とを備えている。
【００１９】
このシステムコントローラ６は、光ディスク１に記録したＭＰＥＧ４フォーマットのＭＰＥＧ４ファイルの動画を再生する際、そのＭＰＥＧ４ファイルのヘッダを解析するヘッダ解析手段６１と、前記解析されたヘッダに基づいて該当するコーデックが当該光ディスク１に存在するか否かを検索するコーデック検索手段６２と、該当するコーデックが当該光ディスク１に存在する場合に該当するコーデックをフラッシュメモリ５に格納するコーデック格納手段６３とを有する。
【００２０】
次に図２を参照して本実施形態の再生動作について説明する。ここでは、光ディスク１にはＭＰＥＧ４の各規格に対応した各コーデックが予め記録されているものとする。または、入力端子７からＭＰＥＧ４の各規格に対応した各コーデックの情報をシステムコントローラ６に入力し、これにより、システムコントローラ６は記録処理部２を動作させ、光ディスク１に各コーデックを書き込む。このようなコーデックが書き込まれた光ディスク１にＭＰＥＧ４ファイルが記録され、このＭＰＥＧ４ファイルを再生する場合について以下説明する。
【００２１】
先ず、この光ディスク１を光ディスク記録再生装置に挿入すると（ステップＳ１）、システムコントローラ６の制御により光ディスク１は回転し、再生処理部３は光ディスク１からＭＰＥＧ４ファイルを読み出し、システムコントローラ６にＭＰＥＧ４ファイルを入力する。
【００２２】
システムコントローラ６では、ヘッダ解析手段６１はＭＰＥＧ４ファイルのヘッダを解析し（ステップＳ２）、この解析されたヘッダに基づいてコーデック検索手段６２は、該当するコーデックが光ディスク１に存在するか否かを検索する（ステップＳ３）。該当するコーデックが光ディスク１に存在する場合、コーデック格納手段６３は、その該当するコーデックをフラッシュメモリ５に格納する（ステップＳ４）。なお、該当するコーデックが光ディスク１に存在しない場合は、再生不可とする（ステップＳ７）。
【００２３】
そして、再生処理部３は、システムコントローラ６の制御によりフラッシュメモリ５からコーデックを読み出し（ステップＳ５）、光ディスク１に記録されたＭＰＥＧ４ファイルの再生を開始する（ステップＳ６）。即ち、再生処理部３では、光ディスク１から読み出した信号を復調した後、誤り訂正を行い、ＭＰＥＧ４ファイルの動画像圧縮データを復元し、システムコントローラ６の制御に基づいてバッファメモリ４に蓄える。再生処理部３は、前記動画像圧縮データがある程度蓄積されたら、前記コーデックにより動画像圧縮データの伸長を行い、システムコントローラ６を介して出力端子８から動画像信号を出力する。この動画像信号を入力した表示装置（図示せず）は動画像を表示することになる。
【００２４】
本実施形態では、ＭＰＥＧ４フォーマットの動画像を記録した光ディスクを作成する際に、ＭＰＥＧ４の各規格に対応した各コーデックを光ディスクに記録し、再生する際に必要なコーデックのみを光ディスクから読み出すことによって、ＭＰＥＧ４フォーマットの動画像を再生している。したがって、ＭＰＥＧ４のデコード機能を搭載していなくても、ＭＰＥＧ４で記録された光ディスクの動画像を再生することができる。また、フラッシュメモリにＭＰＥＧ４の各規格に対応した各コーデックを格納しておく必要がないので、フラッシュメモリのメモリ領域の不足によるフラッシュメモリの増設をするようなことがなくなり、フラッシュメモリの増設によるコストアップを招くようなことはない。
【００２５】
なお、上記実施形態では動画像圧縮フォーマットがＭＰＥＧ４フォーマットである場合について説明したが、それに限らず、ＭＰＥＧ２フォーマットや、その他の動画像圧縮フォーマットであっても、同様に光ディスクにコーデックを記録すれば、上記実施形態と同様な効果が得られる。
【００２６】
【発明の効果】
以上のように本発明によれば、ＭＰＥＧ４の各規格に対応した各コーデックを光ディスクに予め記録しておき、当該光ディスクに記録したＭＰＥＧ４フォーマットのＭＰＥＧ４ファイルを再生する際、そのＭＰＥＧ４ファイルのヘッダを解析するヘッダ解析手段と、前記解析されたヘッダに基づいて該当するコーデックが当該光ディスクに存在するか否かを検索するコーデック検索手段と、該当するコーデックが当該光ディスクに存在する場合に該当するコーデックをフラッシュメモリに格納するコーデック格納手段とを有し、前記フラッシュメモリに格納されたコーデックを用いて当該ＭＰＥＧ４ファイルをデコードして動画像を再生するための制御を行うシステムコントローラを備えたので、光ディスクに予め記録された各コーデックのうちの必要なコーデックだけを読み出してフラッシュメモリに格納し、この格納されたコーデックを用いて当該光ディスクのＭＰＥＧ４ファイルを再生することができ、これにより、ＭＰＥＧ４のデコード機能を搭載していなくても、ＭＰＥＧ４で記録された光ディスクの動画像を再生することができる。また、フラッシュメモリにＭＰＥＧ４の各規格に対応した各コーデックを格納しておく必要がないので、フラッシュメモリのメモリ領域の不足によるフラッシュメモリの増設を行うようなことがなくなり、フラッシュメモリの増設によるコストアップを招くようなことはない。
【００２７】
また、本発明によれば、動画像圧縮方式の各規格に対応した各コーデックを光ディスクに記録しておき、当該光ディスクに記録した動画像圧縮フォーマットの動画像圧縮情報を再生する際、前記各コーデックのうちの必要なコーデックのみを、その光ディスクから読み出し、この読み出したコーデックを用いて当該動画像圧縮フォーマットの動画像圧縮情報をデコードして動画像を再生するための制御を行うシステムコントローラを備えたので、光ディスクに予め記録された各コーデックのうちの必要なコーデックだけを読み出し、このコーデックを用いて光ディスクの動画像圧縮情報を再生することができ、これにより、動画像圧縮情報のデコード機能を搭載していなくても、動画像圧縮フォーマットで記録された光ディスクの動画像を再生することができる。また、フラッシュメモリに動画像圧縮方式の各規格に対応した各コーデックを格納しておく必要がないので、フラッシュメモリのメモリ領域の不足によるフラッシュメモリの増設をするようなことがなくなり、フラッシュメモリの増設によるコストアップを招くようなことはない。
【図面の簡単な説明】
【図１】本発明の一実施形態に係る光ディスク記録再生装置の構成を示すブロック図である。
【図２】前記実施形態における再生動作を説明するためのフローチャートである。
【符号の説明】
１    光ディスク
５    フラッシュメモリ
６    システムコントローラ
６１    ヘッダ解析手段
６２    コーデック検索手段
６３    コーデック格納手段
【図１】
2004328322.tif 000003
【図２】
2004328322.tif 000004